Podtech/llm-jp-corpus-v4-ja_patent huggingface dataset:
(57)【要約】【目的】大学の授業等で配付される資料コピーはＡ４版が殆どだが、一般及ノートはＢ５サイズで縮小コピーでもしないと資料コピーはノーとにはれない。  これをＡ４ノートにしてＡ４コピー紙等の資料を貼ると良さそうだが、実際には、少し食み出してしまう。  本発明は、少し大きめＡ４規格外ノートを創り資料コピーのＡ４版を貼る事ができる学習効果を高めたノートである。【構成】少し大きめＡ４規格外ノートにＡ４クリヤーファイルを付属させて収納力をより高めたノート。【選択図】図３
2011143699.tif 000002
【特許請求の範囲】
【請求項１】
少し大きめＡ４規格外ノートにより、Ａ４コピー資料等を貼っても食み出さない効果がある。
【請求項２】
少し大きめＡ４規格外ノートにＡ４クリヤーファイルを付属させることにより食み出さず収納でき、一緒に大切な資料が納まる利点をもつ。
クリヤーファイル裏面縁には、両面テープの片面が装着し、好きなノートのページに、もう片面のセロハンを剥ぎ装着することができる。
写真等の資料をクリヤーファイルに入れることにより資料を傷つけにくくすると供にファイル力を高めたノート。
【発明の詳細な説明】
【発明の詳細な説明】
【００１】本発明は、少し大きめＡ４規格外ノートにＡ４クリヤーファイルを併せて取り付けられる様に工夫されたノートでありＡ４サイズのコピー紙四隅を少しも切らずに糊等でそのまま貼れることで収納効果が高いことから、時間や手間がかからず纏め、要約の学習効果を高める為のノート及びその製造方法に関する。
【００２】従来からのノートにあっては、一般普及型ノートサイズはＢ５サイズである。ノートは、講義  授業等の記録としてのメモの役割もあるが、大學等で資料として配付されるコピーサイズは現在Ａ４であり、ノートと資料の大きさが違う。そのためノートと資料を併せて一緒にファイルすることができなかった。
【００３】従来のＡ４ノートにあっては、同じ大きさのＡ４コピー資料を貼っても縫い目の関係で少し食み出してしまう。本発明はＡ４ノートよりも少し大きめのＡ４規格外ノートにＡ４クリヤーファイルを装着する。ノートに糊で貼った資料を見ながら要点をノートに抜き出して容易に書くことができ、また、クリヤーファイルを装着する事により資料を傷つかない様にもできる。
【００４】本発明は、従来の様にノートと資料との別々でなくファイル力を高め一緒にすることにができるため、社会における相当範囲にわたる人の学習能率効果をたかめ社会生活の向上に貢献する事を目的とする。
【００５】発明の実施の形態を図面を参照して説明する。
図１は少し大きめＡ４規格外ノートにＡ４資料を貼り付けた図であり少し余白がある。
図２はＡ４クリヤーファイルに裏面縁に両面テープの片側を貼る。
図３はＡ４クリヤーファイルに取り付けた両面テープのもう一方のセロハンを剥ぎ必要なページに取り付けたところである。
【図面の簡単な説明】
【図１】少し大きめＡ４規格外ノートの図
【図２】クリヤーファイルの裏縁に両面テープ片面を張り付ける
【図３】少し大きめＡ４規格外ノートに利用者が必要なページにクリヤーファイルのセロハンを剥し着けることが出来る。
【図１】
2011143699.tif 000003
【図２】
2011143699.tif 000004
【図３】
2011143699.tif 000005
(57)【要約】【課題】フットレストが閉位置に確実に保持され、利用者が車椅子の乗降時、フットレストに接触してもフットレストを水平に戻すことのない、安全なフットレスト開閉装置のある車椅子を提供することを課題とする。【解決手段】  車椅子フットレスト取り付けフレーム６に回転軸１０aを介して直立位置と水平位置との間を回動するフットレスト１０と、同フットレスト１０を直立位置と水平位置に手動で駆動する操作桿１と、同操作桿１をガイドするためのガイド板４とよりなり、前期操作桿１は先端が前記フットレスト１０に連結されている縦アーム部１ｖと上端の横アーム部１ｈとよりなり、前記ガイド板４は、横アーム部をガイドするガイド溝４ａを有し、同ガイド溝４ａの上端部は横アーム部１hの掛上げ部４ｋとなり、前記横アーム部１hには操作用ハンドル２が設けられていることを特徴とするフットレスト開閉装置のある車椅子。【選択図】図１
2011143073.tif 000002
【特許請求の範囲】
【請求項１】
車椅子フットレスト取り付けフレーム６に回転軸１０ａを介して直立位置と水平位置との間を回動するフットレスト１０と、同フットレスト１０を直立位置と水平位置に手動で駆動する操作桿１と、同操作桿１をガイドするためのガイド板４とよりなり、前期操作桿１は先端が前記フットレスト１０に連結されている縦アーム部１ｖと上端の横アーム部１ｈとよりなり、前記ガイド板４は、横アーム部をガイドするガイド溝４ａを有し、同ガイド溝４ａの上端部は横アーム部１ｈの掛上げ部４ｋとなり、前記横アーム部１ｈには操作用ハンドル２が設けられていることを特徴とするフットレスト開閉装置のある車椅子。
【発明の詳細な説明】
【技術分野】
【０００１】
本発明は、フットレスト開閉装置のある車椅子に関するものである。
【背景技術】
【０００２】
従来技術の車椅子のフットレスト開閉装置について、図７により説明する。
【０００３】
操作桿ガイド２１にガイドされる操作桿２０を手動で上下に駆動して、フットレスト２２を開閉する構造になっていて、同フットレスト２２は開位置（水平位置）より９０度以上回動させて閉位置に保持する構造になっている。
【０００４】
これには次の問題点がある。
前記フットレスト２２が開位置（水平位置）より９０度以上回動させて閉位置に保持され、閉位置に固定される構造になっていないので、利用者が車椅子の乗降時、同フットレスト２２に接触して、同フットレストを水平に戻してしまい、予想外の事故を起こす危険性がある。
【先行技術文献】
【特許文献】
【０００５】
【特許文献１】実用新案登録第３１３２４９１号公報
【発明の概要】
【発明が解決しようとする課題】
【０００６】
フットレストが閉位置に確実に保持され、利用者が車椅子の乗降時、フットレストに接触してもフットレストを水平に戻すことのない、安全なフットレスト開閉装置のある車椅子を提供することを課題とする。
【課題を解決するための手段】
【０００７】
車椅子フットレスト取り付けフレーム６に回転軸１０ａを介して直立位置と水平位置との間を回動するフットレスト１０と、同フットレスト１０を直立位置と水平位置に手動で駆動する操作桿１と、同操作桿１をガイドするためのガイド板４とよりなり、前期操作桿１は先端が前記フットレスト１０に連結されている縦アーム部１ｖと上端の横アーム部１ｈとよりなり、前記ガイド板４は、横アーム部をガイドするガイド溝４ａを有し、同ガイド溝４ａの上端部は横アーム部１ｈの掛上げ部４ｋとなり、前記横アーム部１ｈには操作用ハンドル２が設けられていることを特徴とするフットレスト開閉装置のある車椅子。
【発明の効果】
【０００８】
本発明のフットレスト開閉装置のある車椅子は、フットレスト閉位置（水平位置より９０度以上の位置）の保持が確実に固定されており、利用者が車椅子の乗降時、フットレストに接触してもフットレストを水平に戻すことがないので安全に利用できる
【図面の簡単な説明】
【０００９】
【図１】実施例の全体構成図
【図２】図１のＡ−Ａ拡大断面図
【図３】図２のＢ部斜視図
【図４】図２のＣ−Ｃ拡大断面図
【図５】実施例の動作図（フットレスト閉、直立位置）
【図６】実施例の動作図（フットレスト閉、直立位置）
【図７】従来技術のフットレスト開閉装置
【発明を実施するための最良の形態】
【００１０】
本発明のフットレスト開閉装置のある車椅子は、フットレスト取り付けフレーム６に回転軸１０ａを介して直立位置と水平位置との間を回動するフットレスト１０と、同フットレスト１０を直立位置と水平位置に手動で駆動する操作桿１と、同操作桿１をガイドするためのガイド板４と、同ガイド板４を前記車椅子フットレスト取り付けフレーム６に取り付けるための固定金具５と、前記操作桿１と前記フットレスト１０を連結するためのＬ形金具３とよりなり、前記操作桿１は、先端が前記Ｌ形金具３に連結されている縦アーム部１ｖと上端の横アーム部１ｈとよりなり、前記ガイド板４は、横アーム部１ｈをガイドするガイド溝４ａを有し、同ガイド溝４ａの上端部は横アーム部１ｈの掛上げ部４ｋとなり、前記横アーム部１ｈには操作用のハンドル２が設けられていることを特徴とする。
【符号の説明】
【００１１】
１            操作桿
２            ハンドル
３            Ｌ金具
４            ガイド板
５            固定金具
６            車椅子フットレスト取り付けフレーム
１０          フットレスト
１０ａ        回転軸
２０          操作桿
２１          ガイド板
２２          フットレスト
【図１】
2011143073.tif 000003
【図２】
2011143073.tif 000004
【図３】
2011143073.tif 000005
【図４】
2011143073.tif 000006
【図５】
2011143073.tif 000007
【図６】
2011143073.tif 000008
【図７】
2011143073.tif 000009
(57)【要約】【課題】    料理や炊飯の手間を省けるように、必要な量の水を簡単に入れられる鍋・容器を提供する。【解決手段】鍋を傾けて水を捨てながら、目盛り線に合わせて捨てるのを止め所望の水量を得るように、鍋の内底に目盛り線を印付けた鍋とする。【選択図】 図１
2011143074.tif 000002
【特許請求の範囲】
【請求項１】
液体を捨てながら所望の液体量を得るための目盛り線を、内底又は内サイド、またはその両方に印付けた容器。
【請求項２】
内底に敷いて、液体を捨てながら所望の液体量を得る、目盛り線付きの平板を併せ持つ容器。
【請求項３】
器が鍋であることを特徴とする請求項１〜２のいずれかの容器。
【発明の詳細な説明】
【技術分野】
【０００１】
本発明は、目盛り線を、内底に付ける容器に関するものである。
【背景技術】
【０００２】
これまで利便性を考えて、計量カップ等を用いずに鍋や炊飯器の内釜等に水を入れる様々な方法が提案されてきた。例えば、鍋の内面に目盛りを付ける実新第３０８１８８１号や特開平８−２０５９９４、シンボルマークで表示した実新第３１１７５９６号、また、炊飯器の内鍋の外面側に傾斜部を付けることによって炊飯器用の内鍋を所定角度となるようにし、所定水量を得ようとした特開平１０−２６２８１５などがあった。
【先行技術文献】
【特許文献】
【０００３】
【特許文献１】特開平８−２０５９９４
【特許文献２】実新第３１１７５９６号
【特許文献３】特開平１０−２６２８１５
【特許文献４】実新第３０８１８８１号
【発明の概要】
【発明が解決しようとする課題】
【０００４】
これまで発明された多くが、容器の内サイドに水平目盛りを付けるもので、置き面が水平であることが前提となっていた。実際は、水平状態が得られるとは限らず、傾きがあると目盛りは不正確になった。それ故にも水平線の目盛りは短く表示せざるを得ず、液体（以下、水として説明する）の量を合せ難かった。また、この方法では、水量が少なければ入れ直し、多ければ捨て、それを何度か繰り返し丁度良い目盛り線までにするという煩わしさがあった。  鍋底を置いた部分が汚れる恐れもあった。
また、特開平１０−２６２８１５の仕方に於いては、計量可能な水量が数種類に限定されており、更に、やり方の複雑さがあり実際的ではなかった。
【０００５】
スチール製やステンレス製の鍋には印が附し難いという難点がある。（現在、水平目盛りのものでさえ店頭で見出すことは皆無に等しい。）また、使用者によっては、外観上の理由で目盛りが付けられている鍋を好まないという場合もある。
【課題を解決するための手段】
【０００６】
・  液体を捨てながら所望の液体量を得るための目盛り線を、内底、又は内サイド、またはその両方に印付けた容器とする。
・  内底に敷いて、液体を捨てながら所望の液体量を得る、目盛り線付きの平板を併せ持つ容器とする。
・  器が鍋であることを特徴とする（１）〜（２）のいずれかの容器とする。
【発明の効果】
【０００７】
容器（以下では、鍋として説明する）を傾けて水を捨てながら、目盛り線の時点で捨てるのを止めて所望の水量を得る方が、一度の手間で迅速に料理に取り掛かる事ができ、目盛り線を長くして水量を正確に入れることも出来るので、水平目盛りの鍋を用いたり計量カップを用いたりする仕方よりも利便性が良い。
【図面の簡単な説明】
【０００８】
【図１】鍋底の目盛り線の一例（内径１８ｃｍの鍋）を示す斜視図
【図２】鍋内サイドの目盛り線の一例を示す斜視図
【図３】鍋底目盛り線付き鍋の、使用時の斜視図
【図４】鍋底に敷く、水量の目盛り線付きの薄い平板の一例を示す図
【発明を実施するための形態】
【０００９】
図１〜４は、直径１８ｃｍの片手鍋を例にとって示したものである。また、図１〜３には鍋の注ぎ口が示されているが、これは必ずしも必要なものではない。
【００１０】
本発明は、水道から水を多めに入れた後、鍋を傾けて水を捨てながら、所望の目盛り線の所で止めるという仕方で目的の水量を得るものである。図３は、その作業途中の図である。
【００１１】
図１についての説明であるが、鍋底には１００ｃｃ単位ごとに目盛り線を付け、水量をしめす数字をふっている。目盛り線は、鍋のサイド近くまで長く引いてあるので、水量を正確に合わせることが出来る。また、１００ｃｃ単位の間に、５０ｃｃ単位の目盛りを内サイド近くに短くふっている。更には、必要に応じては、５０ｃｃ単位よりも短い線で１０ｃｃ単位の目盛りを入れることも出来る。（１０ｃｃ単位の目盛りについては図４参照）
【００１２】
目盛り線を長く引けない水量のところ（例えば、図１に於いての、８００ｃｃ及び９００ｃｃの部分）では、その線を内サイドに伸ばして目盛ることが出来る。
【００１３】
ｃｃ単位やｍｌ単位での表示に加えて、カップ単位の表示も出来る。（図１参照）  また図２に示すように、鍋底にある表示以上の水量に対しては鍋の内サイドに目盛り線をふっている。この場合も、水を捨てながら必要水量を目盛り線で合わせるものである。  目盛り線の長さは、水量を合わせるのに必要なだけの長さでよい。
【００１４】
図４は、本出願の段落〔０００６〕の（２）で示した容器の、目盛り線付きの薄い平板の図である。これは主に、スチール製やステンレス製の鍋に併有させて用いることを目的としたものである。  水を入れる際に鍋にこの平板を敷き、掛け具７（これは、簡単なばね構造になっている）を鍋の縁にかけ、所望の水量を得た後、平板を引き上げて水切容器に戻す。（水の場合、平板は汚れず、洗う必要はない。）
この平板は必ずしも金属製でなくてもよく、目盛り線が附し易く有毒性のないものであればどんな素材でもよい。ただし、水よりも比重の重いものでなければならない。
【産業上の利用可能性】
【００１５】
料理の手間を省ける使い勝手のよい鍋となるので、鍋に付加価値を付けることが出来る。
【００１６】
鍋を傾けて水を捨てながら必要な水量を得るこの方法は、ラーメン鍋など、決まった水の量が用いられる様な鍋には、とりわけ使い易く最適である。また、容器全般に応用が可能であり、炊飯器の内釜等にも応用できる。
【符号の説明】
【００１７】
１    …  鍋底目盛り線（１００ｃｃ単位）
２    …  鍋底目盛り線（  ５０ｃｃ単位）
３    …  鍋底目盛り線（  １０ｃｃ単位）
４    …  鍋サイドの目盛り線
５    …  水
６    …  紐、又はワイヤー
７    …  掛け具
【図１】
2011143074.tif 000003
【図２】
2011143074.tif 000004
【図３】
2011143074.tif 000005
【図４】
2011143074.tif 000006
(57)【要約】      （修正有）【課題】一般家庭の庭などで成長した植物やその植物本体が増えて邪魔になった場合に、ゴミとして処分されないようにする。【解決手段】一般家庭の庭などの地面に植わっている植木や花などの植物を地面に植わった状態で、紙を媒体としたものやインターネットを媒体としたものの公開方法を介して購入希望者に販売するようにする。これにより地面に植わった状態で植木や花を販売することができ、一般家庭にある植木や花などの有効利用ができる。【選択図】なし【特許請求の範囲】
【請求項１】
一般家庭で庭などの地面に植わった状態の植物をインターネット上のホームページや紙を媒体とした広報誌に登録、公開し、購入希望者に販売する方法。
【発明の詳細な説明】
【技術分野】
【０００１】一般家庭にある、植木や花などの植物販売方法についての発明である。
【背景技術】
【０００２】一般家庭において、地面に植わった状態で植木や花など、植物の販売ができる。
【発明の概要】
【発明が解決しようとする課題】一般家庭にある植物が成長、または個体が増えて、邪魔になった場合捨てることが多かったが、地面に植わった状態で販売できることにより、愛着を持って育てた植物を有効利用することができるものである。【０００３】本発明は一般家庭の庭などの地面に植わった状態で、植木や花などの販売ができるものである。
【課題を解決するための手段】
【０００４】一般家庭の庭などの地面に植わっている植木や花などの植物を地面に植わった状態で一般に公開し、購入希望者に販売するものである。
公開の方法は、紙を媒体としたものとインターネットによるものがある。
【発明の効果】
【０００５】一般家庭にある植木や花などの有効利用ができる。
【産業上の利用可能性】
【０００６】一般家庭にある植木や花などの有効利用ができる。
(57)【要約】      （修正有）【課題】ｔｗｉｔｔｅｒ等の「記載情報」の本人作成証明と改ざん防止を行えるようにする。【解決手段】ｔｗｉｔｔｅｒ等の「記載情報１０」に「本人署名情報２０」と「アカウント情報３０」を合成した情報から作成した「ハッシュ値３０３」を生成し合成することにより「記載情報１２」を生成しｔｗｉｔｔｅｒ等へ掲載する。改ざんの有無を証明することができ、かつ署名を含むハッシュ値が含まれることで、本人が作成記載した情報としての証明および確認が可能となる。【選択図】図１
2011221972.tif 000002
【特許請求の範囲】
【請求項１】
ｔｗｉｔｔｅｒ等の「記載情報」の改ざんを防止する方法
【請求項２】
ｔｗｉｔｔｅｒ等の「記載情報」に署名する方法
【請求項３】
ｔｗｉｔｔｅｒ等の「記載情報」が本人が作成した情報であることを証明する方法
【発明の詳細な説明】
【技術分野】
【０００１】本発明は、ｔｗｉｔｔｅｒ等の「記載情報」の本人作成証明と改ざんを防止を実現する方法とシステムに関する。
【背景技術】
【０００２】現在インターネット上で利用されているｔｗｉｔｔｅｒ等の簡易ブログシステムでは、不特定多数のＷＷＷサーバからその情報を自由に検索し、その結果を公開できる為のＡＰＩを公開している。その為、ある種の意図を持った第三者の公開により、「記載情報」の改ざんを行ない記載した本人の意図しない「記載情報」として公開されてしまう危険性があった。
また、記載した本人が実在する別人に成りすまし、「記載情報」を発信する事が可能なため、「記載情報」が本煮による記載であることを証明することが困難な環境であった。
【発明の開示】
【発明が解決しようとしている課題】
【０００３】本発明は、以上のような問題に鑑みてなされたものである。
本発明は、記載する情報に「記載情報」と「本人署名情報」と「Ｔｗｉｔｔｅｒのアカウント情報」を合成した情報から作成した「ハッシュ値Ａ」を付加することで「本人署名情報」が本人しか知りえない情報となり、「本人署名情報」のみから生成された「ハッシュ値Ｂ」を信頼できる環境に公開することにより、「記載情報」が、本人が作成を行った「記載情報」であることの証明となり、公開された「記載情報」と「ハッシュ値Ａ」と比較することで、改ざんの有無を証明する機能を提供することである。
【課題を解決する為の手段】
【０００４】請求項１記載のｔｗｉｔｔｅｒ等の「記載情報」の改ざんを防止する方法は、「記載情報１０」より生成した「ハッシュ値１１」を生成することが可能となることを特徴とする。
【０００５】請求項２記載のｔｗｉｔｔｅｒ等の「記載情報」に署名する方法は、「署名情報２０」より生成した「ハッシュ値２１」を生成することが可能となることを特徴とする。
【０００６】請求項３記載のｔｗｉｔｔｅｒ等の「記載情報」が本人が作成した情報であることを証明する方法は、「ハッシュ値１１」と「ハッシュ値２１」とｔｗｉｔｔｅｒ等の「アカウント情報３０」を合成し「ハッシュ値３０３」を生成することが可能となることを特徴とする。
【発明を実施するための形態】
【０００７】以下、本発明の実施の形態例を添付図面により本発明を詳細に説明する。
なお、複数の図面に同じ要素を示す場合は、同一の参照符号をつける。
（実施の形態）
図１は、本発明の実施の手順を説明する為の図である。図１によってｔｗｉｔｔｅｒ等で記載する「記載情報１０」を事前に準備しておいた「署名情報２０」とｔｗｉｔｔｅｒ等へ参加する為の「アカウント情報３０」を利用し作成された「ハッシュ値３０３」と「記載情報１０」の合成より、「記載情報１２」を生成しｔｗｉｔｔｅｒ等へ記載することで実現する。
【０００８】記載情報１０を非可逆なハッシュ関数１０１にてハッシュ値１１を生成する。
このときハッシュ関数は、非可逆なＭＤ５（Ｍｅｓｓａｇｅ  Ｄｉｇｅｓｔ  Ａｌｇｏｒｉｔｈｍ  ５）等を利用するのが望ましい。
【０００９】次に、署名情報２０を非可逆なハッシュ関数２０１および、符号化２０２にてハッシュ値２１を生成する。このときハッシュ関数は、非可逆なＭＤ５（Ｍｅｓｓａｇｅ  Ｄｉｇｅｓｔ  Ａｌｇｏｒｉｔｈｍ  ５）等を利用するのが望ましい。
【００１０】次に、ハッシュ値１１、ハッシュ値２１、アカウント情報３０を文字列として結合部３０１で結合し、この結合結果を再び、ハッシュ関数３０２にてハッシュ値３０３を生成する。このときハッシュ関数は、非可逆なＭＤ５（Ｍｅｓｓａｇｅ  Ｄｉｇｅｓｔ  Ａｌｇｏｒｉｔｈｍ  ５）等を利用するのが望ましい。
【００１１】最後に、記載情報１０とハッシュ値３０３を文字列として結合し、記載情報１２を生成する。
【発明の効果】
【００１２】本発明によれば、ハッシュ値を含む記載情報となることにより、改ざんの有無を証明することができ、かつ署名を含むハッシュ値が含まれることで記載者本人しか知りえない情報を含む情報となり、本人が作成し記載した情報としての証明および確認の実施が可能になる。
【図面の簡単な説明】
【図１】本発明の実施や一形態を説明する為の図
【図２】記載情報１０のハッシュ値１１の生成を示すフローチャートである。
【図３】署名情報２０のハッシュ値２１の生成を示すフローチャートである。
【図４】記載情報１２に付加するためのハッシュ値２０３の生成を示すフローチャートである。
【符号の説明】  １０  Ｔｗｉｔｔｅｒ等への元となる記載情報
１１  Ｔｗｉｔｔｅｒ等への元となる記載情報から生成したハッシュ値
１２  記載情報１０とハッシュ値生成部３００の結果を合成した記載情報
２０  署名情報
２１  署名情報から生成したハッシュ値
３０  アカウント情報
１００  ハッシュ値生成部
１０１  ハッシュ関数
２００  ハッシュ値生成部
２０１  ハッシュ関数
２０２  符号化
３００  ハッシュ値生成部
３０１  結合部
３０２  ハッシュ関数
３０３  結合部３０１で生成したハッシュ値
【図１】
2011221972.tif 000003
【図２】
2011221972.tif 000004
【図３】
2011221972.tif 000005
【図４】
2011221972.tif 000006
(57)【要約】【課題】解決しようとする問題点は、畑等に種を撒き、白いネームプレートに油性ペンで野菜、草花、果樹等の名称を書いていたが、日数が立つと書いた文字が薄れて読み取りにくくなり、何の野菜の種を撒いたのか分からなくなることが多かった。【解決手段】本発明は、トマトならトマトの絵柄で表現し、その裏面には栽培のメモを書けるようにした家庭菜園用の表示プレートであり、遠くからでも野菜、草花、果樹等の種類をひと目で確認でき、また、見た目にも可愛いらしく、気分を楽しくさせるプレートである。【選択図】図１
2011221474.tif 000002
【特許請求の範囲】
【請求項１】
野菜、草花、果樹等の形状をした家庭菜園用表示プレート
【請求項２】
野菜、草花、果樹等の形状をした家庭菜園用表示プレートに、耐候性に優れた塗料（蛍光塗料を含む）で絵柄を描いた家庭菜園用表示プレート
【請求項３】
野菜、草花、果樹等の形状をした家庭菜園用表示プレートに横並びに設けた名称プレートに耐候性に優れた塗料（蛍光塗料を含む）で野菜、草花、果樹等の名前を書いた家庭菜園用表示プレート
【請求項４】
野菜、草花、果樹等の形状をした家庭菜園用表示プレートの裏面は、白、又は薄色を基調とし、自由に栽培の要点を書けるようにした家庭菜園用表示プレート。
【請求項５】
プレートの下部には土に差し込みやすく、また、抜けにくい様に先を尖らせた箇所が複薮ある家庭菜園用表示プレート。
【発明の詳細な説明】
【技術分野】
【０００１】本発明は、野菜、草花、果樹等の種類がひと目で分かる様に、野菜、草花、果樹等の形状と絵柄で表現した家庭菜園、植木鉢等の表示プレートに関するものである。
【背景技術】
【０００２】従来は、畑等に種を撒き、白いネームプレートに油性ペンで野菜、草花、果樹等の名称を書いていたが、日数が立つと書いた文字が薄れて読み取りにくくなり、何の野菜の種を撒いたのか分からなくなることが多かった。
【発明の概要】
【発明が解決しようとする課題】
【０００３】解決しようとする問題点は、畑等に種を撒き、白いネームプレートに油性ペンで野菜、草花、果樹等の名称を書いていた文字が、日数が立つにつれ薄れて読み取りにくくなり、何の野菜の種を撒いたのか分からなくなることが多かった。本発明は、これらのような欠点をなくすためになされたものである。
【課題を解決するための手段】
【０００４】本発明は、野菜、草花、果樹等の種類がひと目で分かる様に、例えば、トマトの形状と絵柄で表現し、その裏面には栽培のメモを書けるようにした家庭菜園、植木鉢等の表示プレートに関するものである。
【発明の効果】
【０００５】本発明の家庭菜園、植木鉢等の表示プレートは、例えば、トマトならトマトの形状と絵柄を表現したものであり、遠くからでも野菜、草花、果樹等の種類をひと目で確認でき、また、見た目にも可愛いらしく、気分を楽しくさせるプレートである。【０００６】トマトならトマトの絵柄の着色には、退色を防止するために耐候性に優れた塗料を使用する。また、蛍光塗料等を用いると見た目の可愛いらしさをより強調できる。【０００７】裏面に書いた栽培メモが、日数が立つにつれ薄れて読み取りにくくなったとしても絵柄で表現したプレートのため野菜、草花、果樹等の種類がひと目で分かる。
以上の本発明により、従来の欠点が解消できる。
【図面の簡単な説明】
【０００８】
【図１】表示プレートの正面図
【図２】表示プレートの裏面図
【図３】名称プレート併設表示プレートの正面図
【発明を実施するための形態】
【０００９】以下、本発明の実施の形態に基づいて説明する。
【実施例１】図１に基づいて実施例１を説明する。【００１０】本発明は、土に差し込む部分を有するトマトならトマトの形状のプレートを作りその上に耐候性の塗料で絵柄を描く（図１−１）。遠くから何が描いてあるのか一目瞭然である。見た目を美しくかわいくし気分を楽しくさせる。【００１１】裏面（図２−３）は白、又は薄色を基調とし、各自で栽培に必要な要点を記入する。文字が日数が立つにつれ薄れて読み取りにくくなったとしても絵柄で表現したプレートのため野菜、草花、果樹等の種類がひと目で分かる。【００１２】また、トマトならトマトの形状のプレートの横に野菜、草花、果樹等の名称（トマト等）が書けるプレート（図３）を併設しておけばより分かりやすい。【００１３】プレートの下部には土に差し込む足を形成しておく。この足は、土に差し込みやすく、又、抜けにくくする為に先端部を２箇所以上尖らせておく（図１−２）。
【符号の説明】
【００１４】  １  トマトの絵柄
２  土に差し込む足
３  裏面
４  名称プレート
【図１】
2011221474.tif 000003
【図２】
2011221474.tif 000004
【図３】
2011221474.tif 000005
(57)【要約】【課題】  太陽電池モジュールで加熱ムラを発生することのない太陽電池モジュールのラミネート装置を得ること。【解決手段】  チャンバーハウジング２内に熱交換器１を配置する。熱交換器１は、内部に空間８を形成すると共に、左側面に蒸気供給管６を接続する。熱交換器１の底部に接続管路１０を取り付けて真空吸引手段５の水エゼクター１３と接続する。真空吸引手段５を、水エゼクター１３と冷却水タンク１４と循環ポンプ１５とで構成する。  蒸気供給管６から熱交換器１へ供給される加熱用蒸気の保有する大きな熱量によって、太陽電池モジュール４をムラなく加熱することができる。【選択図】  図１
2011023584.tif 000002
【特許請求の範囲】
【請求項１】
熱交換器上に、太陽電池素子と透光性基板と充填材と裏面材を積層載置してラミネートする太陽電池モジュールの製造装置において、熱交換器に加熱用の蒸気を供給する蒸気供給管を接続し、熱交換器内を所定の低圧状態に維持するための真空吸引手段を接続したことを特徴とする太陽電池モジュールのラミネート装置。
【発明の詳細な説明】
【技術分野】
【０００１】
本発明は、太陽電池素子を、透光性基板と充填材と裏面材とで、ラミネート状に製造する太陽電池モジュールのラミネート装置に関する。
【背景技術】
【０００２】
シリコン基板で作成される太陽電池素子は、物理的強度が弱いために、熱交換器上で、透光性基板と充填材と裏面材とで多層状にラミネートされて太陽電池モジュールが製作される。
【０００３】
従来の太陽電池モジュールのラミネート装置は、熱交換器での加熱用の熱源として、電気ヒータを使用しているために、太陽電池モジュールに加熱ムラを発生して、太陽電池モジュールの絶縁不良や耐久性が低下してしまう問題があった。これは、一般的に電気ヒータの加熱容量は充分ではなく、特に大面積の太陽電池モジュールの場合に加熱ムラを発生してしまうのである。
【先行技術文献】
【特許文献】
【０００４】
【特許文献１】特開２００４−３１７３９
【発明の概要】
【発明が解決しようとする課題】
【０００５】
解決しようとする問題点は、熱交換器から必要充分な熱量を太陽電池モジュールへ供給することによって、太陽電池モジュールで加熱ムラを発生することのない太陽電池モジュールのラミネート装置を得ることである。
【課題を解決するための手段】
【０００６】
本発明は、熱交換器上に、太陽電池素子と透光性基板と充填材と裏面材を積層載置してラミネートする太陽電池モジュールの製造装置において、熱交換器に加熱用の蒸気を供給する蒸気供給管を接続し、熱交換器内を所定の低圧状態に維持するための真空吸引手段を接続したものである。
【発明の効果】
【０００７】
本発明は、熱交換器に蒸気供給管を接続したことにより、蒸気の保有する大きな熱量でもって太陽電池モジュールを加熱することができ、太陽電池モジュールの加熱ムラを防止することができる。
【図面の簡単な説明】
【０００８】
【図１】本発明に係る太陽電池モジュールのラミネート装置の実施例を示す構成図である。
【発明を実施するための形態】
【０００９】
本発明は、熱交換器内を所定の低圧状態に維持するために真空吸引手段を接続するものであるが、この真空吸引手段としては、水エゼクターと循環ポンプを組み合わせたエゼクター・ポンプを用いることができる。
【実施例】
【００１０】
図１において、熱交換器１を内蔵したチャンバーハウジング２と、チャンバーハウジング２の上部に取り付けたダイヤフラム３と、ダイヤフラム３の下面と熱交換器１の上面との間に配置したラミネートする太陽電池モジュール４、及び、チャンバーハウジング２の下方に配置した真空吸引手段５とで太陽電池モジュールのラミネート装置を構成する。
【００１１】
熱交換器１は、金属製の平板状で内部に空間８を有する。熱交換器１の大きさは、太陽電池モジュール４の大きさによるが、本実施例では縦横が１メートルのものとする。熱交換器１の下部に固定具９を介してチャンバーハウジング２の内周壁に取り付け固定する。
【００１２】
熱交換器１の左端部に加熱用の蒸気を供給するための蒸気供給管６を接続する。蒸気供給管６には、熱交換器１へ供給する蒸気の量を制御するための制御弁７を取り付けると共に他端部は図示しない蒸気ボイラー等の蒸気源と接続する。蒸気供給管６から熱交換器１へ供給される加熱用の蒸気によって、上面に戴置した太陽電池モジュール４を加熱するものである。
【００１３】
熱交換器１の底部に接続管路１０を取り付けて、真空吸引手段５と接続する。接続管路１０には、蒸気トラップ１１と開閉弁１２を並列に取り付ける。蒸気トラップ１１は、蒸気は排出することがなく、蒸気の凝縮した復水だけを排出する機能を有する自動弁の一種である。
【００１４】
真空吸引手段５を、水エゼクター１３と冷却水タンク１４と循環ポンプ１５とで構成したエゼクター・ポンプとする。循環ポンプ１５の吐出管路１６を、管路１７を介在して水エゼクター１３と接続し、管路１８を介在して熱交換器１と接続し、更に、管路１９を余剰水排出管とする。冷却水タンク１４の上部に、冷却水補給管２０を接続する。
【００１５】
真空吸引手段５は、循環ポンプ１５の駆動によって冷却水タンク１４内の冷却水を管路１７から水エゼクター１３へ供給することによって、水エゼクター１３で所定の真空吸引力を発生するものである。また、循環ポンプ１５の駆動によって管路１８から熱交換器１内へ冷却水を供給することで、熱交換器１で冷却することもできる。
【００１６】
熱交換器１上面の太陽電池モジュール４を加熱する場合は、蒸気供給管６と制御弁７から熱交換器１内へ所定量の蒸気を供給することによって、蒸気によって加熱される。加熱により凝縮した復水は、熱交換器１下端の接続管路１０から蒸気トラップ１１を通り、更に、水エゼクター１３から冷却水タンク１４へと至る。
【００１７】
真空吸引手段５を駆動することにより、熱交換器１の内部を大気圧以下の真空減圧状態とすることができ、蒸気供給管６から供給する蒸気の圧力も大気圧以下とすることで、１００℃以下の温度でも蒸気によって加熱することができる。
【００１８】
一方、熱交換器１上面の太陽電池モジュール４を冷却する場合は、管路１８から所定量の冷却水を熱交換器１内へ供給することで、真空状態に維持された熱交換器１内で速やかに冷却水が蒸発気化して、その蒸発潜熱でもって太陽電池モジュール４を冷却することができる。
【００１９】
冷却により蒸発した気化蒸気と、蒸発しきれなかった冷却水は、蒸気トラップ１１と開閉弁１２から水エゼクター１３に吸引されて冷却水タンク１４に至る。
【産業上の利用可能性】
【００２０】
太陽電池モジュールをラミネートする装置として適用できる。
【符号の説明】
【００２１】
１  熱交換器
２  チャンバーハウジング
４  太陽電池モジュール
５  真空吸引手段
６  蒸気供給管
１１  蒸気トラップ
１２  開閉弁
１３  水エゼクター
１４  冷却水タンク
１５  循環ポンプ
１６  吐出管路
【図１】
2011023584.tif 000003
(57)【要約】【課題】    コンセントにプラグ本体を差し込むと同時に自動的に電極体の埃防止ができる防塵具付き電気プラグを提供する。【解決手段】    プラグ本体の先端部に、電気に絶縁性のあるシリコーンゴムからなる吸盤型防塵具の底面に電極体が合致する切り口部を設け、前記切り口部に電極体を突き通し、プラグ本体と合体するようにしたことを特徴とする防塵具付き電気プラグ。【選択図】図１
2011023326.tif 000002
【特許請求の範囲】
【請求項１】
プラグ本体の先端部に、電気に絶縁性のあるシリコーンゴムからなる吸盤型防塵具の底面に電極体が合致する切り口部を設け、前記切り口部に電極体を突き通し、プラグ本体と合致するようにしたことを特徴とする防塵器具付き電気プラグ。
【発明の詳細な説明】
【技術分野】
【０００１】  本発明は、コンセントにプラグ本体を差し込むと同時に自動的に電極の埃防止ができる防塵具付き電気プラグに関する。
【背景技術】
【０００２】  従来の電気コードプラグは、コンセントの奥まで深く差し込んだり取り外したりする手間が煩わしいのと、手や肩が疲れたりして、コンセントに半ば差し込み電極露出のまま使用されていた。
例として、濡れた手でプラグに触れないこと、プラグに水をかけないこと、露出部分を良く掃除する等の警告がなされていた。
【発明の概要】
【発明が解決しようとする課題】
【０００３】  そのために次のような問題点があった。
（イ）コンセントとプラグの密着が固くきついために、電極を半ば露出して作動させていたが、近来のテレビ放映によるとプラグ電極体に、大量の埃が付着している家庭が多く、これが原因で、ショートによるボヤ、火災の発生率は全国で相当数に達していることが報じられていた。
（ロ）また上記実験放映によると、露出電極体に付着した埃に水をかけることにより、ショートして即座に器具に燃え移ることが見られた。
本発明は、このような従来の構成が有していた問題を解決しようとするものであり、コンセントとプラグ間を接触半ばにしても、効果的に電極露出部に埃の付着しない安定なる防麈具付き電気プラグ本体を実現することを目的とするものである。
【問題を解決するための手段】
【０００４】  そして、本発明は上記目的を達成するためにプラグ本体の先端部に、電気に絶縁性のあるシリコーンゴムからなる吸盤型防塵具の底面に電極体が合致する切り口部を設け、前記切り口部に電極体を突き通し、プラグ本体と合体するようにしたことを特徴とする防塵具付き電気プラグである。
【発明の効果】
【０００５】  防塵具に密閉された、プラグ本体の電極部をコンセントからの抜き差しにおいて、力を入れることなく簡単に操作でき、半ば差し込み使用が自在となり、使用後の始末に気遣いすることのない安全性の高い火災防止に効果ある自動的防塵の電気プラグを提供できる。
【図面の簡単な説明】
【０００６】
【図１】  本発明の斜視図
【図２】  本発明の後方から見た外観図
【図３】  本発明の使用状況を示す斜視図
【発明を実施するための形態】
【０００７】  以下、本発明の実施の形態について説明する。
（イ）プラグ本体（３）の先端に突き出た電極体（２）を防塵具（１）の切り口（５）に嵌め合わせる。
（ロ）防塵具（１）は、シリコーンゴム製の電気絶縁体であり、故に防塵具（１）の底面に切り口（５）を設け、前記切り口（５）に電極体（２）を差し込み、プラグ本体（２）の露出部（２ａ）が安全に密閉される。
本発明は以上のような構造で、これを使用するときは、長期間そのまま差し込みの場合、壁（７）に取りつけたコンセント（８）にプラグ本体（２）をつまみ、前記コンセント（８）の差し込み口に押し当て力を加えることにより、シリコーンゴム製の防塵具（１）とコンセント（８）の間がパッキング状態となり透き間のない平面状の合体となる。
また、毎回アイロン掛け、台所、その他におけるプラグ本体（３）の抜き差し甚だしい所においても、防麈具（１）により、湿気、水分、金属片、埃等の接着によるショートの危険性を自動的に防止する効果が得られるものである。
【符号の説明】
【０００８】    １    防塵具
２    電極体
２ａ  露出部
３    プラグ
４    コード
５    切り口
６    防塵具底の合体面
７    壁
８    コンセント
【図１】
2011023326.tif 000003
【図２】
2011023326.tif 000004
【図３】
2011023326.tif 000005
(57)【要約】【課題】柑橘類の皮は、これまで干したものを漢方（陳皮）として用いらたり、洗剤として利用される事はあったものの、一般的には消費された後に廃棄されることがほとんどであった。そこで柑橘類の皮の新たな活用法を確立し、資源の有効活用や廃棄物の削減を可能とする。【解決手段】粉末にし乾燥させた柑橘類の皮と増粘剤（タブの粉等）を水で練り合わせ、乾燥させたものをお香（線香）として利用する。柑橘類の皮を特有の香りによりリラックス等様々な効果が期待され、線香として仏壇等で利用することも可能である。皮と増粘剤を水で混ぜる際、柑橘の花から抽出した成分も混ぜることにより、より一層香りを発生させることも可能である。【図面の簡単な説明】【選択図】図１
2011084474.tif 000002
【特許請求の範囲】
【請求項１】
粉末化した柑橘の皮と増粘剤を混合して主成分となすことを特徴とするお香。
【発明の詳細な説明】
【技術分野】
【０００１】
本発明は、柑橘類の皮を使ったお香に関するものである。
【背景技術】
【０００２】
柑橘類の皮は、これまで干したものを漢方（陳皮）として用いられてきた。
【０００３】
また、皮に含まれる成分を利用し、洗剤として用いられることが多かった。
【０００４】
しかし、一般的には消費された後に廃棄されることがほとんどであり、資源の有効活用や廃棄物の削減の観点から他の利用法を検討する必要がある。
【先行技術文献】
【特許文献】
【０００５】
【特許文献１】特許公開平９−１８８８９８
【非特許文献】
【０００６】
【非特許文献１】「おばあちゃんの知恵袋 再利用大事典」宝島社  ２００８年
【発明の概要】
【発明が解決しようとする課題】
【０００７】
本発明は、柑橘類の皮の新たな活用法を確立し、資源の有効活用や廃棄物の削減を目的とする。
【課題を解決するための手段】
【０００８】
本発明は、粉末にした柑橘類の皮と増粘剤（タブの粉等）を水で練り合わせ、乾燥させたものをお香（線香）として利用する。
【発明の効果】
【０００９】
本発明の柑橘類の皮を使ったお香は、柑橘類の皮を特有の香りによりリラックス等様々な効果が期待され、線香として仏壇等で利用することも可能である。皮と増粘剤を混ぜる際、柑橘の花から抽出した成分も混ぜることにより、より一層香りを発生させることも可能である。また、一般家庭にある簡単な器具で作ることができるという利点もある。粉末化にはおろし金が利用でき、粉末が大きい場合はすり鉢も利用する。
【図面の簡単な説明】
【００１０】
【図１】図１は柑橘類の皮を使ったお香の作成方法を示した説明図である。（実施例１）
【図２】図２は柑橘類の皮を使ったお香の作成方法を示した説明図である。（実施例２）
【発明を実施するための形態】
【００１１】
粉末化した柑橘類の皮と増粘剤を水で練り合わせる際の配合比を体積比を変えて比較し、次表の配合を得た。
表１
2011084474.tif 000003
【００１２】
実施例１では、着火する時としない時があるが、最後まで燃え尽きることはない
【００１３】
実施例２では線状にすれば着火するも最後まで燃えない事が多い
【００１４】
実施例３では線状にすれば着火し、
燃え尽きる
【００１５】
実施例４では円錐状でも着火し、
燃え尽きる
【００１６】
形状に合わせて配合を変えることにより、お香として利用することが可能である
【産業上の利用可能性】
【００１７】
以上をふまえて、本発明の実施例に関わる柑橘類の皮を利用したお香は柑橘類の果汁を利用したジュース類を作成する際に廃棄される柑橘の皮の有効利用にも繋がる。
【図１】
2011084474.tif 000004
【図２】
2011084474.tif 000005
(57)【要約】      （修正有）【課題】従来法にある高コスト、不確実性のような課題を解決し、低コストで二酸化炭素ガスを貯蔵できる方法を提供する。【解決手段】自動車メーカーの製造工程で、あるいはタイヤ販売店、民間車検場などで、あらかじめ準備された比較的高圧の二酸化炭素ガスを、タイヤをふくらます工程中で、タイヤ内部に圧入する。【選択図】図２
2011084408.tif 000002
【特許請求の範囲】
【請求項１】
濃縮・加圧された二酸化炭素ガスを自動車用タイヤに封入することにより二酸化炭素ガスを貯蔵させることを特徴とする二酸化炭素ガスの貯蔵方法。
【発明の詳細な説明】
【技術分野】
【０００１】
18世紀の産業革命以降、石炭・石油等の化石燃料の使用量が爆発的に増大し、一方森林伐採が進んだことから、需給バランスが崩れ、過去100年間で大気中のCO2濃度が280ppmから362ppmに急上昇した。このCO2濃度が高まると地表の温度が上がり、海面の上昇や気候の変動とそれに伴う異常気象の発生など、様々な悪影響が予想される。そのため排出を規制する国際的な話し合いが続けられており、二酸化炭素ガスの貯蔵法の開発が求められ、各国でその検討がすすめられている。
本発明は二酸化炭素ガスの貯蔵法に関するものである。
【背景技術】
【０００２】
二酸化炭素ガスの貯蔵法としては廃油田に注入する方法や、大深度地下に貯蔵する方法、深海水に注入するなどの方法があるが、いずれもコストと確実性の点で難がある。
【先行技術文献】
【特許文献】
【０００３】
【特許文献１】特開２００２−３０６９５４（Ｐ２００２−３０６９５４Ａ）
【非特許文献】
【０００４】
【非特許文献１】ｗｅｂｌｉｏ辞書  二酸化炭素  ２００９
【発明の概要】
【発明が解決しようとする課題】
【０００５】
本発明はこのような課題を解決し、低コストで二酸化炭素ガスを貯蔵できる方法を提供しようとするものである。
【課題を解決するための手段】
【０００６】
自動車メーカーの製造工程で、あるいはタイヤ販売店、民間車検場などで、あらかじめ準備された比較的高圧の二酸化炭素ガスを、タイヤをふくらます工程中で、タイヤ内部に圧入する。  
【発明の効果】
【０００７】
低コストで、二酸化炭素ガスを貯蔵することが出来る。
【発明を実施するための形態】
【０００８】
第一段階として、例えば、各自動車メーカーおよびタイヤメーカーの社内で発生する二酸化炭素ガスを効率的に捕捉する。（圧力容器で購入したものでも良い）
【０００９】
捕捉した二酸化炭素ガスを図１の原料ガスチャンバー１に導入する。その後、図１に示す一般的な液化二酸化炭素ガス製造プロセスに送り込む。即ち、洗浄塔２、ガス溜３、ミストセバレーター４、ガス圧縮機５、活性炭塔６、洗浄塔７、冷却器８、脱湿器９、液化器１０Ａ〜１０Ｃ、精製塔１１を経て貯蔵タンク１２に気液混合状態で５Ｋｇ／ｃｍ２以上となるようタンク内に貯蔵する。その後、ポンプを介してタンクローリー、ボンベ等に注入し、あるいは、直接図２の二酸化炭素ガス供給フローに導入する。
【００１０】
図２に自動車製造工程中及びタイヤ製造工程でタイヤに、所定の圧力まで二酸化炭素ガスを充填、貯蔵する時のフローチャートを示す。
即ち、ボンベ３１、安全弁２２が付属したタンク３２などから排出された二酸化炭素ガスは矢印に沿って、ストップバルブ２１Ｃ、２１Ｄ、２１Ｈ、２１Ｉを開放した後、圧力計２３Ｂ、２３Ｄを見ながら減圧弁２４Ａ、２４Ｂで圧力を調整した後、ドレントラップ２５で除水し、逆止弁２７、ボール弁２８、フレキシブルホース２９を通過して、タイヤ３０に充填、貯蔵される。この時、ガスの排出量は流量計２６で記録される。なお、２１Ｅ、２１Ｊのストップバルブは圧力調整後に、又、２１Ｆ、２１Ｇのストップバルブは二酸化炭素ガスの充填、貯蔵に先立って、順次開放される。
【００１１】
その新しくガス充填された、各自動車のタイヤの周辺に（５本）に二酸化炭素ガス充填済のエコシールを貼るなどその旨を明示する。
【００１２】
この発明は二酸化炭素ガスの排出権取引に利用出来うる。
【００１３】
タイヤメーカーの代理店などでも、自動車メーカー同様、二酸化炭素ガスをタイヤに注入し、ふくらませて貯蔵することができる。又、各民間車検場でも同様である。
【００１４】
二酸化炭素ガスの貯蔵量としては、タイヤ一本あたりの内容積を２５Ｌ〔サイズ１７５／６５Ｒ１４〕とし、自動車一台あたりのタイヤ数を５本、零度摂氏一気圧時に二酸化炭素質量を４４Ｋｇ／２２．４ｍ３、空気圧を２．２Ｋｇ／ｃｍ２とすれば、日本国内の自動車年間生産量１，０００万台の時に、約５，４００トンの二酸化炭素ガスを貯蔵することが出来る。これを世界中で応用した場合は、年間約５万トンの二酸化炭素ガスを貯蔵することが出来ると推察される。微量の漏れはあるだろうが、無視できる範囲である。
又、古い自動車においてタイヤのみの取替え交換時に、新たに二酸化炭素ガスを充填、貯蔵すれば、上記の数値を上回る量のガスを貯蔵できることとなる。
【産業上の利用可能性】
【００１５】
二酸化炭素ガスの貯蔵に用いられる。
【図面の簡単な説明】
【００１６】
【図１】、
【図２】は本発明の二酸化炭素ガス貯蔵法の各工程を示すフローチャートである。
【符号の説明】
【００１７】
１    二酸化炭素ガスチャンバー
２    洗浄塔
３    ガス溜
４    ミスとセパレーター
５    ガス圧縮機
６    活性炭塔
７    洗浄塔
８    冷却器
９    脱湿器
１０Ａ〜１０Ｃ  液化器
１１  精製塔
１２  貯蔵タンク
１３  ポンプ
１４  タンクローリー
１５  ボンベ
２１Ａ〜２１Ｊ    ストップバルブ
２２    安全弁
２３Ａ〜２３Ｄ    圧力計
２４Ａ〜２４Ｂ    減圧弁
２５    ドレントラップ
２６    流量計
２７    逆止弁
２８    ボール弁
２９    フレキシブルホース
３０    タイヤ
３１    ボンベ
３２    タンク
【図１】
2011084408.tif 000003
【図２】
2011084408.tif 000004
(57)【要約】【課題】製茶からの茶成分付着法では茶成分、特にカテキンの付着量が少なく、酸化のため短期間でカテキンが減少しカテキン効果の持続性がなかった、染色した布、不織布、メッシュも酸化のため緑色から茶色に変色をした【解決手段】お茶の生葉を使用することによりお茶の生葉の持つ茶成分特にカテキンの減少を少なくして付着することができ酸化防止剤により長時間カテキン保存が可能となります【特許請求の範囲】
【請求項１】
お茶の生葉を冷水にて叩解、この叩解液に酸化防止剤を添加、この液に布、不織布、メッシュを浸し冷風によって乾燥させる
【請求項２】
上記の布、不織布、メッシュをマスク、蚊帳、カーテン、手拭き、顔拭き、空気清浄機フィルター、靴敷きに使用する
【発明の詳細な説明】
【技術分野】
【０００１】布、不織布、メッシュに茶成分を付着させ茶成分の殺菌作用を利用するものである
【背景技術】
【０００２】従来は製茶から茶成分を付着させる方法であった
【発明の開示】
【発明が解決しようとする課題】
【０００３】茶成分特にカテキンは高温、酸化、乾燥によって自然消滅が発生、製茶製造過程において生葉を蒸気で蒸す、そして高温で乾燥するためカテキンの減少率が高くなるため製茶からの布、不織布、メッシュに付着するカテキン量が少なく、マスクに利用した場合でも効果が低く効果の持続力が短かった
【課題を解決するための手段】
【０００４】カテキン減少の課題を解決するため、お茶の生葉を冷水（０〜１５°）で熱が加わらないよう叩解かし、お茶の葉と冷水の叩解水の中に酸化防止剤を投入、この混合水に布、不織布、メッシュを浸し冷風乾燥することにより布、不織布、メッシュに付着したカテキンの自然減少時間を延長することを特徴とする
【発明の効果】
【０００５】生葉と低温処理、そして酸化防止剤効果により、より多量の持続性のある茶成分特にカテキンが付着した布、不織布、メッシュにインフルエンザ菌が通過するときカテキンに接触し、カテキンによりインフルエンザ菌が殺菌されマスク、蚊帳等に利用した場合殺菌効果の持続性が向上し、インフルエンザ菌の体内への侵入を防ぐことが出来ます、また蚊帳を使用することにより、インフルエンザ患者から家庭内感染防止に役立ちます
【発明を実施するための最良の形態】
【０００６】この発明の形態はお茶の生葉を冷水（０〜１５°）に投入、加熱されないように、お茶の葉を０．００１ｍｍ〜１ｍｍに叩解、この叩解水に対し酸化防止剤を生葉の重量に対し１％を投入してお茶の酸化を防止します、この混合水を０度〜１５度に保ち布、不織布、メッシュをこの混合水に浸し茶成分カテキンの減少を低く抑えるため室内温度２５°以下にて１時間以内で冷風乾燥をする
【実地形態の効果】
【０００７】この実地形態によればお茶の生葉が持っているカテキンが減少することなく布、不織布、メッシュに付着させることが出来酸化防止剤により布、不織布、メッシュが緑色に染色されたものが茶色に変化することを防止し、酸化防止剤によりカテキンの減少を防ぐことが出来ます、マスク、蚊帳に利用した場合インフルエンザ殺菌効果が持続します、また、茶成分による防臭効果があります